(57)【要約】本発明の実施例は共同干渉抑制方法及び装置、ならびにアップリンクＣｏＭＰの実現方法、装置及び記憶媒体を提供する。ここで、共同干渉抑制方法は、第１セルは第２セルによって送信された第２端末のスケジューリング情報を受信し、前記第２端末が前記第２セルに属し、前記スケジューリング情報が、前記第２セルによって前記第２端末に割り当てられるリソースブロック情報及びパイロットシンボル位置情報を含むことと、前記第１セルは、それに属している第１端末によって送信された情報を復調する場合、前記スケジューリング情報に基づいて干渉抑制合成アルゴリズムを用いて、前記第２セルによる前記第１セルへの同一周波数の干渉を除去することとを含む。【選択図】図３
2017536034.tif 000002
【特許請求の範囲】
【請求項１】
共同干渉抑制方法であって、アップリンクＣｏＭＰを実現することに用いられ、
第１セルは第２セルによって送信された第２端末のスケジューリング情報を受信することと、
前記第１セルは、それに属している第１端末によって送信された情報を復調する場合、前記スケジューリング情報に基づいて干渉抑制合成アルゴリズムを用いて、前記第２セルの前記第１セルへの同一周波数の干渉を除去することと、含み、
前記第２端末は前記第２セルに属し、前記スケジューリング情報は、前記第２セルによって前記第２端末に割り当てられるリソースブロック情報及びパイロットシンボル位置情報を含む、
前記共同干渉抑制方法。
【請求項２】
アップリンクＣｏＭＰの実現方法であって、
アップリンクＣｏＭＰを行う必要である第１セルと第２セルが同一基地局に属していない場合、前記第１セルが属している基地局と前記第２セルが属している基地局の間の伝送遅延を検出することと、
前記伝送遅延が予め設定される時間条件を満たすか否かを判断し、前記伝送遅延が予め設定される時間条件を満たしている場合、請求項１に記載の共同干渉抑制方法を採用してアップリンクＣｏＭＰを実現することと、
を含む、前記アップリンクＣｏＭＰの実現方法。
【請求項３】
前記予め設定される時間条件は、前記伝送遅延が第２遅延より大きい、かつ第１遅延より小さいことを含み、前記第１遅延が予め設定されるアップリンクＣｏＭＰの最大の遅延である、
請求項２に記載のアップリンクＣｏＭＰの実現方法。
【請求項４】
前記第２遅延は、予め設定される、共同ソフトビット合成方式を採用してアップリンクＣｏＭＰを実現する最大の遅延である、
請求項３に記載のアップリンクＣｏＭＰの実現方法。
【請求項５】
前記伝送遅延が前記第２遅延以下である場合、前記共同ソフトビット合成方式を採用してアップリンクＣｏＭＰを実現する、
請求項４に記載のアップリンクＣｏＭＰの実現方法。
【請求項６】
アップリンクＣｏＭＰを行う必要である第１セルと第２セルが同一基地局に属している場合、前記第１セルと前記第２セルが同一のベースバンドモジュールに属しているか否かを判断し、前記第１セルと前記第２セルが同一のベースバンドモジュールに属している場合、予め設定される共同等化方式を採用してアップリンクＣｏＭＰを実現し、前記第１セルと前記第２セルが同一のベースバンドモジュールに同一のベースバンドモジュールに属しない場合、予め設定される共同ソフトビット合成方式を採用してアップリンクＣｏＭＰを実現することをさらに含む、
請求項２〜５のいずれか１項に記載のアップリンクＣｏＭＰの実現方法。
【請求項７】
共同干渉抑制装置であって、アップリンクＣｏＭＰを実現するために用いられ、
第２セルによって送信された第２端末のスケジューリング情報を受信するように構成される受信ユニットと、
第１セルは、それに属している第１端末によって送信された情報を復調する場合、前記スケジューリング情報に基づいて干渉抑制合成アルゴリズムを用いて、前記第２セルの前記第１セルへの同一周波数の干渉を除去するように構成される干渉抑制ユニットと、を含み、
前記第２端末は前記第２セルに属し、前記スケジューリング情報は、前記第２セルによって前記第２端末に割り当てられるリソースブロック情報及びパイロットシンボル位置情報を含む、
前記共同干渉抑制装置。
【請求項８】
アップリンクＣｏＭＰの実現装置であって、
アップリンクＣｏＭＰを行う必要である第１セルと第２セルが同一基地局に属していない場合、前記第１セルが属している基地局と前記第２セルが属している基地局の間の伝送遅延を検出するように構成される検出ユニットと、
前記伝送遅延が予め設定される時間条件を満たすか否かを判断するように構成される第１判断ユニットと、
前記第１判断ユニットによって前記伝送遅延が予め設定される時間条件を満たしていると判断した場合、請求項１に記載の共同干渉抑制方法を採用してアップリンクＣｏＭＰを実現するように構成される実行ユニットと、
を含む、前記アップリンクＣｏＭＰの実現装置。
【請求項９】
前記予め設定される時間条件は、前記伝送遅延が第２遅延より大きい、かつ第１遅延より小さいことを含み、前記第１遅延が予め設定されるアップリンクＣｏＭＰの最大の遅延である、
請求項８に記載のアップリンクＣｏＭＰの実現装置。
【請求項１０】
前記第２遅延は、予め設定される、共同ソフトビット合成方式を採用してアップリンクＣｏＭＰを実現する最大の遅延である、
請求項９に記載のアップリンクＣｏＭＰの実現装置。
【請求項１１】
前記実行ユニットは、前記伝送遅延が前記第２遅延以下である場合、前記共同ソフトビット合成方式を採用してアップリンクＣｏＭＰを実現するように構成される、
請求項１０に記載のアップリンクＣｏＭＰの実現装置。
【請求項１２】
アップリンクＣｏＭＰを行う必要である第１セルと第２セルが同一基地局に属している場合、前記第１セルと前記第２セルが同一のベースバンドモジュールに属しているか否かを判断するように構成される第２判断ユニットをさらに含み、
前記実行ユニットはさらに、前記第２判断ユニットによって前記第１セルと前記第２セルが同一のベースバンドモジュールに属していると判断した場合、予め設定される共同等化方式を採用してアップリンクＣｏＭＰを実現し、前記第２判断ユニットによって前記第１セルと前記第２セルが同一のベースバンドモジュールに属していないと判断した場合、予め設定される共同ソフトビット合成方式を採用してアップリンクＣｏＭＰを実現するように構成される、
請求項８〜１１のいずれか１項に記載のアップリンクＣｏＭＰの実現装置。
【請求項１３】
コンピュータ記憶媒体であって、
請求項１に記載の共同干渉抑制方法を実行するためのコンピュータ実行可能な命令が記憶される、
前記コンピュータ記憶媒体。
【請求項１４】
コンピュータ記憶媒体であって、
請求項２〜６のいずれか１項に記載のアップリンクＣｏＭＰの実現方法を実行するためのコンピュータ実行可能な命令が記憶される、
前記コンピュータ記憶媒体。
【発明の詳細な説明】
【技術分野】
【０００１】
本発明は無線通信技術に関し、特に共同干渉抑制方法及び装置、ならびにアップリンクマルチポイント協調伝送（ＣｏＭＰ：Ｃｏｏｒｄｉｎａｔｅｄ  ｍｕｌｔｉ−ｐｏｉｎｔ  ｔｒａｎｓｍｉｓｓｉｏｎ／ｒｅｃｅｐｔｉｏn）の実現方法及び装置に関する。
【背景技術】
【０００２】
マルチポイント協調伝送技術は、ロングタームエボリューション（ＬＴＥ−Ａ：Ｌｏｎｇ  Ｔｅｒｍ  Ｅｖｏｌｕｔｉｏｎ  Ａｄｖａｎｃｅｄ）ネットワークにおいて、同一周波数の干渉を減少し、又は除去することによって、セル境界のスループットを増大させ、高レートデータサービスのシェアを拡大し、システムスループットを増大させる技術である。
【０００３】
図１に示すように、現在、キャリアで実際のＣｏＭＰのネットワーキングは、主に集中型と分散型を含む。集中型のネットワーキングは、Ｘ２インターフェースのインタラクションを実現するために、各進化型基地局（ＮｏｄｅＢ）のベースバンドユニット（ＢＢＵ）を集中し、必要とするステーションにリモート無線装置（ＲＲＵ）を配置し、ＢＢＵとＲＲＵが光ファイバで接続され、各ＢＢＵの間も光ファイバで直接に接続されてもよい。分散型のネットワーキングは、必要とするステーションにｅＮｏｄｅＢのＢＢＵとＲＲＵを直接に配置し、各ｅＮｏｄｅＢのＢＢＵが公共伝送ネットワーク上に配置して、Ｘ２インターフェースのインタラクションを実現することができる。
【０００４】
現在、ＣｏＭＰシステムのアップリンク方向において、ｅＮｏｄｅＢは、複数のセルの共同受信復調方式でアップリンクＣｏＭＰを実現しており、プロトコルには、アップリンク共同受信（ＪＲ：ｊｏｉｎｔ  ｒｅｃｅｐｔｉｏｎ）という概念が提案されているが、具体的な方法が記載されず、各社が自らで技術案とアルゴリズムを設計して実現している。現在、良く使用されている二つのアップリンクＣｏＭＰの実現方式は、共同等化方式と共同ソフトビット合成方式を含む。共同等化方式では、プライマリセルは、協力情報を協力セルに送信し、協力セルが協力情報によってアップリンク信号チャネルで推定された結果をプライマリセルに返信し、プライマリセルが自セルと協力セルとのアンテナの元データを用いて共同等化を行い、信号の品質利得を得る。共同ソフトビット合成方式では、具体的に、プライマリセルによって協力情報を協力セルに送信し、協力セルが協力情報に基づいてアップリンク信号チャネルの推定、等化、及びソフトビットの計算を行い、そしてソフトビットの結果をプライマリセルに返信し、プライマリセルが自セルと協力セルのソフトビット情報を用いて共同ソフトビット合成を行い、信号の品質利得を得る。
【０００５】
この二つの方法は、各自のメリットとデメリット、及び好ましい応用シーンがある。共同等化方式については、メリットとして、プライマリセルが各々のアンテナの元データを取得し、各種データの合成アルゴリズム（例えば最大比合成ＭＲＣ、干渉抑制合成ＩＲＣ）を活用して、セル間の干渉を減少し、さらに除去することができため、ＵＥが得られる流量利得が最大である。デメリットは、複数のセルのインタラクションアンテナの元データ量が大きく、複雑度が高いところである。その応用シーンは、ｅＮｏｄｅＢ内のセルである。共同ソフトビット合成方式については、そのメリットとして、協力セル間のデータのインタラクション量が共同等化方式より少なく、処理複雑度も共同等化方式より低いところである。デメリットとしては、利得が共同等化方式より高くない。応用シーンは、ｅＮｏｄｅＢ内セルである。基地局間の遅延が共同ソフトビット合成の遅延閾値より小さい場合（例えば集中型のネットワーキング）、この方式を利用してＣｏＭＰを実現しても良い。
【０００６】
アップリンクＣｏＭＰのデータ送信側がＵＥ側である。ＬＴＥシステムにおいて、ＵＥ側により送信するサブフレームデータが１ｍｓを単位としていて、これによってマルチポイントのｅＮｏｄｅＢがＣｏＭＰを行う時に、必ず１ｍｓ以内で信号の復調、チャネル推定、チャネル等化、協力情報のインタラクション、信号の合成などの一連の処理を完了させることが求められて、それで利得を得る目的を達成する。
【０００７】
ＣｏＭＰは、セル間又はｅＮｏｄｅＢ間がＸ２インターフェースを介して協力情報を送受信する必要がある。商用のネットワーキング案において、集中型のネットワーキング方式だけで、ＣｏＭＰ遅延の要求（１ｍｓ以内にすべてのＣｏＭＰ処理を完了させること）を満足することができる。分散型のネットワーキング方式は、商用の伝送ネットワークの各ノードの伝送遅延がすべて１ｍｓより大きくて、従来のＪＲの実現方式（共同等化、共同ソフトビット合成）が分散型のネットワークで使用することができない。
【０００８】
また、従来から、干渉抑制合成（ＩＲＣ：Ｉｎｔｅｒｆｅｒｅｎｃｅ  Ｒｅｊｅｃｔｉｏｎ  Ｃｏｍｂｉｎｉｎｇ）アルゴリズムを用いて干渉を除去する時に、ＩＲＣアルゴリズムで隣接セルの具体的な干渉位置を把握することができず、自セルで隣接セルの信号干渉をブラインド推定するしかできず、アップリンクＣｏＭＰの干渉防止能力が低くなっている。現行のＩＲＣアルゴリズムの原理について、図２を参照し、それは、受信アンテナの数が１より大きい場合、一つの重み行列を用いて異なるアンテナより受信された信号に対して線形合成を行い、チャネルの相関性による干渉を抑制し、受信アンテナが多いほど、その干渉の除去の能力がより強くなる。
【発明の概要】
【０００９】
本発明の実施例は、上記の問題を解決するために、共同干渉抑制方法及び装置、ならびにアップリンクＣｏＭＰの実現方法、装置及び記憶媒体を提供し、従来の分散型のネットワークでアップリンクＣｏＭＰを実現することができなく、アップリンクＣｏＭＰの干渉防止能力が悪いという技術問題を解決することできる。
【００１０】
本発明の実施例の技術案は下記の通りである。
【００１１】
第１の態様において、本発明の実施例は、共同干渉抑制方法を提供し、アップリンクＣｏＭＰを実現することに用いられ、
第１セルは第２セルによって送信された第２端末のスケジューリング情報を受信することと、
前記第１セルは、それに属している第１端末によって送信された情報を復調する場合、前記スケジューリング情報に基づいて干渉抑制合成アルゴリズムを用いて、前記第２セルの前記第１セルへの同一周波数の干渉を除去することと、含み、
前記第２端末は前記第２セルに属し、前記スケジューリング情報は、前記第２セルによって前記第２端末に割り当てられるリソースブロック情報及びパイロットシンボル位置情報を含む。
【００１２】
第２の態様において、本発明の実施例はさらに、共同干渉抑制装置を提供し、アップリンクＣｏＭＰを実現するために用いられ、
第２セルによって送信された第２端末のスケジューリング情報を受信するように構成される受信ユニットと、
第１セルは、それに属している第１端末によって送信された情報を復調する場合、前記スケジューリング情報に基づいて干渉抑制合成アルゴリズムを用いて、前記第２セルの前記第１セルへの同一周波数の干渉を除去するように構成される干渉抑制ユニットと、を含み、
前記第２端末は前記第２セルに属し、前記スケジューリング情報は、前記第２セルによって前記第２端末に割り当てられるリソースブロック情報及びパイロットシンボル位置情報を含む。
【００１３】
第３の態様において、従来技術においてアップリンクＣｏＭＰ方式が確定されたら、シーンと条件の変化に応じて自分に適応することができず、ＣｏＭＰの最良の利得効果を現すことができないという問題を解決するために、本発明の実施例はさらに、アップリンクＣｏＭＰの実現方法を提供し、前記方法は、
アップリンクＣｏＭＰを行う必要である第１セルと第２セルが同一基地局に属していない場合、前記第１セルが属している基地局と前記第２セルが属している基地局の間の伝送遅延を検出することと、
前記伝送遅延が予め設定される時間条件を満たすか否かを判断し、前記伝送遅延が予め設定される時間条件を満たしている場合、請求項１に記載の共同干渉抑制方法を採用してアップリンクＣｏＭＰを実現することとを含む。
【００１４】
本発明の一つの実施例において、前記予め設定される時間条件は、前記伝送遅延が第２遅延より大きい、かつ第１遅延より小さいことを含み、前記第１遅延が予め設定されるアップリンクＣｏＭＰの最大の遅延である。
【００１５】
本発明の一つの実施例において、前記第２遅延は、予め設定される、共同ソフトビット合成方式を採用してアップリンクＣｏＭＰを実現する最大の遅延である。
【００１６】
本発明の一つの実施例において、前記伝送遅延が前記第２遅延以下である場合、前記共同ソフトビット合成方式を採用してアップリンクＣｏＭＰを実現する。
【００１７】
本発明の一つの実施例において、前記方法はさらに、アップリンクＣｏＭＰを行う必要である第１セルと第２セルが同一基地局に属している場合、前記第１セルと前記第２セルが同一のベースバンドモジュールに属しているか否かを判断し、前記第１セルと前記第２セルが同一のベースバンドモジュールに属している場合、予め設定される共同等化方式を採用してアップリンクＣｏＭＰを実現し、前記第１セルと前記第２セルが同一のベースバンドモジュールに属しない場合、予め設定される共同ソフトビット合成方式を採用してアップリンクＣｏＭＰを実現する。
【００１８】
第４の態様において、現行技術においてアップリンクＣｏＭＰ方式が確定されたら、シーンと条件の変化に応じて自分に適応することができず、ＣｏＭＰの最良の利得効果を現すことができないという問題を解決するために、本発明の実施例はさらに、アップリンクＣｏＭＰの実現装置を提供し、前記装置は、
アップリンクＣｏＭＰを行う必要である第１セルと第２セルが同一基地局に属していない場合、前記第１セルが属している基地局と前記第２セルが属している基地局の間の伝送遅延を検出するように構成される検出ユニットと、
前記伝送遅延が予め設定される時間条件を満たすか否かを判断するように構成される第１判断ユニットと、
前記第１判断ユニットによって前記伝送遅延が予め設定される時間条件を満たしていると判断した場合、請求項１に記載の共同干渉抑制方法を採用してアップリンクＣｏＭＰを実現するように構成される実行ユニットと、を含む。
【００１９】
本発明の一つの実施例において、前記予め設定される時間条件は、前記伝送遅延が第２遅延より大きい、かつ第１遅延より小さいことを含み、前記第１遅延が予め設定されるアップリンクＣｏＭＰの最大の遅延である。
【００２０】
本発明の一つの実施例において、前記第２遅延は、予め設定される、共同ソフトビット合成方式を採用してアップリンクＣｏＭＰを実現する最大の遅延である。
【００２１】
本発明の一つの実施例において、前記実行ユニットは、前記伝送遅延が前記第２遅延以下である場合、前記共同ソフトビット合成方式を採用してアップリンクＣｏＭＰを実現するように構成される。
【００２２】
本発明の一つの実施例において、前記装置はさらに、
アップリンクＣｏＭＰを行う必要である第１セルと第２セルが同一基地局に属している場合、前記第１セルと前記第２セルが同一のベースバンドモジュールに属しているか否かを判断するように構成される第２判断ユニットを含み、
前記実行ユニットはさらに、前記第２判断ユニットによって前記第１セルと前記第２セルが同一のベースバンドモジュールに属していると判断した場合、予め設定される共同等化方式を採用してアップリンクＣｏＭＰを実現し、前記第２判断ユニットによって前記第１セルと前記第２セルが同一のベースバンドモジュールに属していないと判断した場合、予め設定される共同ソフトビット合成方式を採用してアップリンクＣｏＭＰを実現するように構成される。
【００２３】
第５の態様において、本発明の実施例はさらにコンピュータ記憶媒体を提供し、前記コンピュータ記憶媒体に、上記の第１の態様の実施例で提供されている共同干渉抑制方法を実行するためのコンピュータ実行可能な命令が記憶される。
【００２４】
第６の態様において、本発明の実施例はさらにコンピュータ記憶媒体を提供し、前記コンピュータ記憶媒体に、上記の第３の態様の実施例で提供されているアップリンクＣｏＭＰの実現方法を実行するためのコンピュータ実行可能な命令が記憶される。
【００２５】
本発明の実施例の有益な効果としては、
本発明の実施例は共同干渉抑制方法及び装置、ならびにアップリンクＣｏＭＰの実現方法及び装置、記憶媒体を提供し、各種のネットワーキング方式、シーン及び遅延に適用することができ、アップリンクＣｏＭＰの干渉防止能力を向上させる。具体的に、本発明の実施例の共同干渉抑制方法は、アップリンクＣｏＭＰを実現することに用いられ、第１セルが第２セルによって送信された第２端末のスケジューリング情報を受信し、前記第２端末が前記第２セルに属し、前記スケジューリング情報が、前記第２セルによって前記第２端末に割り当てられるリソースブロック情報及びパイロットシンボル位置情報を含むことと、前記第１セルが、それに属している第１端末によって送信された情報を復調する場合、前記スケジューリング情報に基づいて干渉抑制合成アルゴリズムを用いて、前記第２セルの前記第１セルへの同一周波数の干渉を除去することとを含む。本発明が提供されている共同干渉抑制方法は、第１セル（協力セル又はサービングセル）が既に干渉ソースの干渉を除去していて、境界ユーザの利得を増大する目的を達しているために、干渉ソースが所在している第２セル（サービングセル又は協力セル）に協力情報を送信する必要がなくなり、そのためＸ２インターフェース間のメッセージのインタラクションを減少することができ、そしてＣｏＭＰの所要遅延も減少され、分散型のネットワークに適用することができる。また、第１セル（協力セル又はサービングセル）が第２端末としてのリソースブロック情報及びパイロットシンボル位置を取得することができるため、第１セルがＩＲＣアルゴリズムを行う時に、干渉ソースの位置を確定するすることができ、ＩＲＣアルゴリズムで干渉ソースの干渉を除去する効果を高め、アップリンクＣｏＭＰの干渉防止能力を最適化し、さらにセル境界のスループットを増大する。
【図面の簡単な説明】
【００２６】
【図１】従来のＣｏＭＰネットワーキングのシーンを示す図である。
【図２】従来のＩＲＣアルゴリズムの原理を示す図である。
【図３】本発明の実施例１における共同干渉抑制方法のフローチャートである。
【図４】本発明の実施例１における他の共同干渉抑制方法のフローチャートである。
【図５】本発明の実施例２におけるアップリンクＣｏＭＰの実現方法のフローチャートである。
【図６】本発明の実施例２における他のアップリンクＣｏＭＰの実現方法のフローチャートである。
【図７】本発明の実施例３における共同干渉抑制装置の構成を示す図である。
【図８】本発明の実施例３におけるアップリンクＣｏＭＰの実現装置の構成を示す図である。
【図９】本発明の実施例３における他のアップリンクＣｏＭＰの実現装置の構成を示す図である。
【発明を実施するための形態】
【００２７】
下記、具体的な実施方式を図面と結合して本発明の技術案をさらに詳しく説明する。
【００２８】
実施例１
従来から、分散型のネットワークにおいてアップリンクＣｏＭＰを実現することができなく、ＩＲＣアルゴリズムを用いて干渉抑制を行うことが最良の効果をもたらすことができないことによって、従来のアップリンクＣｏＭＰの干渉防止能力が低いという技術問題を考えると、図３に示すように、本実施例は共同干渉抑制方法を提供し、アップリンクＣｏＭＰを実現することに用いられ、ステップ３０１〜３０２を含む。
【００２９】
ステップ３０１において、第１セルは第２セルによって送信された第２端末のスケジューリング情報を受信し、前記第２端末は前記第２セルに属し、前記スケジューリング情報は、前記第２セルによって前記第２端末に割り当てられるリソースブロック情報及びパイロットシンボル位置情報を含む。
【００３０】
本実施例において、第１セルがＣｏＭＰシステム内のサービングセル又は協力セルであっても良く、第２セルがＣｏＭＰシステム内の協力セル又はサービングセルであっても良い。
【００３１】
ステップ３０２において、前記第１セルは、それに属している第１端末によって送信された情報を復調する場合、前記スケジューリング情報に基づいて干渉抑制合成アルゴリズムを用いて、前記第２セルの前記第１セルへの同一周波数の干渉を除去する。
【００３２】
本実施例において、第２セルの前記第１セルへの同一周波数の干渉は、第２セルが第１セルと同じＲＢ（リソースブロック）における第１セルＲＢへの干渉を含み、即ち、同一ＲＢにおける二つのセルの干渉である。
【００３３】
本実施例の方法において、ステップ３０１で干渉端末リソースブロック情報とパイロットシンボル位置情報を取得することできるため、第１セルがＩＲＣアルゴリズムを行う時に、干渉ソースの位置を確定することができ、干渉抑制の効果を高め、アップリンクＣｏＭＰの干渉防止能力を最適化する。また、本実施例の方法において、第１セル（協力セルとサービングセル）が既に干渉ソースの干渉を除去していて、境界ユーザの利得を増大する目的を達しているために、干渉ソースが所在している第２セル（サービングセル又は協力セル）に協調情報を送信する必要がなくなり、そのためＸ２インターフェース間のメッセージのインタラクションを減少することができ、そしてＣｏＭＰの所要遅延も減少され、分散型のネットワークに適用することができ、分散型のネットワークにおいてアップリンクＣｏＭＰを実現することができる。
【００３４】
以下、第１セルを協力セルとして、第２セルをサービングセルとして例を挙げて、本実施例の方法を具体的に説明し、図４に示すように、ステップ４０１〜４０３を含む。
【００３５】
ステップ４０１において、サービングセルはＵＥ１にリソースブロック及びパイロットシンボル位置情報を割り当てる。
【００３６】
ステップ４０２において、サービングセルは前記リソースブロック情報及びパイロットシンボル位置情報を協力セルに送信する。
【００３７】
ステップ４０３において、協力セルは、ＵＥ２によって送信された情報を復調した後に、ＵＥ１の前記リソースブロックにおける干渉を、ＩＲＣアルゴリズムを用いて除去する。
【００３８】
上記のステップ４０１〜４０３によって、ＵＥ２のアップリンクチャネルの品質が良くなる。
【００３９】
同様に、第１セルがサービングセルであり、第２セルが協力セルである場合、同一周波数の干渉を除去することは、ステップ４０１〜４０３と類似しても良く、サービングセルがＩＲＣアルゴリズムを採用して協力セルの同一周波数の干渉を除去する。
【００４０】
本実施例の方法は、各種のネットワーキング方式、シーン及び遅延に適用することができ、ネットワーキング方式、シーン及び遅延において、本実施例の方法を使用してアップリンクＣｏＭＰを実施することできる。例えば、分散型のネットワークにおいて、ｅＮｏｄｅＢの間にアップリンクＣｏＭＰを行うことが可能であり、そのため、セル境界の同一周波数の干渉を減少し、セル境界のユーザのアップリンクスループットを増大させる。
【００４１】
実施例２
図５に示すように、本実施例はアップリンクＣｏＭＰの実現方法を提供し、ステップ５０１〜５０４を含む。
【００４２】
ステップ５０１において、アップリンクＣｏＭＰを行う必要である第１セルと第２セルが同一基地局に属していない場合、前記第１セルが属している基地局と前記第２セルが属している基地局の間の伝送遅延を検出する。
【００４３】
ステップ５０２において、前記伝送遅延が予め設定される時間条件を満たすか否かを判断し、前記伝送遅延が予め設定される時間条件を満たしている場合、ステップ５０３を実行し、前記伝送遅延が予め設定される時間条件を満たしていない場合、ステップ５０４を実行する。
【００４４】
好ましくは、本ステップの予め設定される時間条件は、前記伝送遅延が第２遅延より大きい、かつ第１遅延よる小さいことを含み、前記第１遅延が予め設定されるアップリンクＣｏＭＰの最大の遅延である。
【００４５】
好ましくは、システムがその他のＪＲ方式を予め設定する場合、本実施例において、前記第２遅延は、予め設定される、共同ソフトビット合成方式を採用してアップリンクＣｏＭＰを実現する最大の遅延である。
【００４６】
ステップ５０３において、実施例１に記載されている共同干渉抑制方法を採用してアップリンクＣｏＭＰを実現する。
【００４７】
ステップ５０４において、その他の予め設定されるＪＲ方式を採用してアップリンクＣｏＭＰを実現し、又はそのまま終了する。
【００４８】
本ステップにおいて、ＪＲ方式は共同ソフトビット合成方式、又は共同等化方式を含む。
【００４９】
具体的に、前記伝送遅延が前記第２遅延（予め設定される、共同ソフトビット合成方式を採用してアップリンクＣｏＭＰを実現する最大の遅延）以下である場合、前記共同ソフトビット合成方式を採用してアップリンクＣｏＭＰを実現する。
【００５０】
前記伝送遅延が第１遅延（予め設定されるアップリンクＣｏＭＰの最大遅延）より大きい場合、そのままフローを終了する。
【００５１】
本実施例はさらに、従来技術においてアップリンクＣｏＭＰ方式が確定されたら、シーンと条件の変化に応じて自分に適応することができず、ＣｏＭＰの最良の利得効果を現すことができないという問題を考慮し、上記の実施例１に記載されているアップリンクＣｏＭＰを実現する方式を結合し、本実施例は、アップリンクＣｏＭＰの実現方法を提供し、伝送遅延に基づいて適応的に適切な方式を選択してアップリンクＣｏＭＰを実現することができ、境界ユーザのスループット及びセル全体のスループットを増大する。伝送遅延が予め設定される条件を満たす場合、共同干渉抑制方法を採用してアップリンクＣｏＭＰを実現する。伝送遅延が予め設定される条件を満たしていない場合、ＪＲ方式を選択してアップリンクＣｏＭＰを実現し、または直接に終了することが可能である。特に共同干渉抑制方式を採用する場合、実施例１によって、さらに干渉防止能力、チャネルの品質をを向上されることができ、それによってさらに境界ユーザのスループット及びセル全体のスループットを増大する。
【００５２】
上記方法は、さらに、アップリンクＣｏＭＰを行う必要である第１セルと第２セルが同一基地局に属している場合、前記第１セルと前記第２セルが同一のベースバンドモジュールに属しているか否かを判断し、前記第１セルと前記第２セルが同一のベースバンドモジュールに属している場合、予め設定される共同等化方式を採用してアップリンクＣｏＭＰを実現し、前記第１セルと前記第２セルが同一のベースバンドモジュールに属しない場合、予め設定される共同ソフトビット合成方式を採用してアップリンクＣｏＭＰを実現することを含む。
【００５３】
図６に示すように、本実施例に提供されているアップリンクＣｏＭＰの実現方法は具体的に、ステップ６０１〜６０８を含む。
【００５４】
ステップ６０１において、アップリンクＣｏＭＰを行う必要である第１セルと第２セルが同一基地局に属しているか否かを判断し、前記第１セルと第２セルが同一基地局に属している場合、ステップ６０６を実施し、前記第１セルと第２セルが同一基地局に属しない場合、ステップ６０２を実施する。
【００５５】
本実施例において、第１セルがサービングセルであっても良く、第２セルが協力セルであっても良い。本実施例において、共同干渉抑制方法、共同等化方式、共同ソフトビット合成方式という３種類の予め設定されるアップリンクＣｏＭＰの実現方式を含む。また、アップリンクＣｏＭＰの最大遅延と共同ソフトビット合成方式の最大遅延も予め設定され、後者が前者より小さい。
【００５６】
ステップ６０２において、前記第１セルが属している基地局と前記第２セルが属している基地局の間の伝送遅延を検出する。
【００５７】
ステップ６０３において、前記伝送遅延が共同ソフトビット合成方式の最大遅延以下であるか否かを判断し、前記伝送遅延が共同ソフトビット合成方式の最大遅延以下ではないと判断した場合、ステップ６０４を実行し、前記伝送遅延が共同ソフトビット合成方式の最大遅延以下であると判断した場合、ステップ６０８を実行する。
【００５８】
ステップ６０４において、前記伝送遅延がアップリンクＣｏＭＰの最大遅延以下であるか否かを判断し、前記伝送遅延がアップリンクＣｏＭＰの最大遅延以下であると判断した場合、ステップ６０５を実行し、前記伝送遅延がアップリンクＣｏＭＰの最大遅延以下ではないと判断した場合、終了する。
【００５９】
ステップ６０５において、共同干渉抑制方法を採用してアップリンクＣｏＭＰを実現する。
【００６０】
ステップ６０６において、前記第１セルと前記第２セルが同一のベースバンドモジュールに属しているか否かを判断し、前記第１セルと前記第２セルが同一のベースバンドモジュールに属していると判断した場合、ステップ６０７を実行し、前記第１セルと前記第２セルが同一のベースバンドモジュールに属しないと判断した場合、ステップ６０８を実行する。
【００６１】
ステップ６０７において、共同等化方式を採用してアップリンクＣｏＭＰを実現して終了する。
【００６２】
ステップ６０８において、共同ソフトビット合成方式を採用してアップリンクＣｏＭＰを実現して終了する。
【００６３】
上記方法を採用して、分散型のネットワーク、集中型ネットワーク、ｅＮｏｄｅＢの間、ｅＮｏｄｅＢ内、ベースバンドのボード内、ベースバンドのボードの間、共に自分で適応的に最も有効なＣｏＭＰ方式を選択することが可能であり、境界ユーザがセル間の干渉を最大限に除去させることができ、チャネル品質を向上させ、そしてより大きいスループットが得られ、境界ユーザの体験が高まる。さらに、自分に適応的な方法を採用してから、境界ユーザのスループットが増大するために、セル全体のスループットも共に増大される。
【００６４】
また、共同干渉抑制方法を採用してアップリンクＣｏＭＰを実現する時に、実施例１の記載によって、さらに干渉防止能力、チャネル品質を向上させ、境界ユーザの体験が高まる。
【００６５】
下記、本実施例の方法の具体的な応用プロセスを説明し、サービングセルと協力セルを例として、下記のステップを含む。
【００６６】
１．アップリンクＣｏＭＰの実現方式を「自分に適応」と人工的に設定する。
【００６７】
２．アップリンクＣｏＭＰの最大遅延ＵＬＣｏＭＰＭａｘＤｅＬａｙを人工的に設定する。遅延の設定は、システムがＣｏＭＰにサポートする可能な実際処理能力を原則とする。
【００６８】
３．「共同ソフトビット合成」の最大遅延ＪｏｉｎｔＳｏｆｔＣｏｍｂｉｎｅＭａｘＤｅＬａｙを人工的に設定する。遅延の設定は、システムが「共同ソフトビット合成」にサポートする可能な実際処理能力を原則とし、またＪｏｉｎｔＳｏｆｔＣｏｍｂｉｎｅＭａｘＤｅＬａｙ＜ＵＬＣｏＭＰＭａｘＤｅＬａｙという条件を満たさせる。
【００６９】
４．システムが正常に動作してから、システムが協同隣接セルとサービングセルのアップリンクＣｏＭＰの方式を自分で適応的に判定する。判定ステップは下記の通りである。
【００７０】
ステップ１において、アップリンクＣｏＭＰを行う必要である協力セルとサービングセルが同一のｅＮｏｄｅＢに属しているか否かを判断し、属している場合、ステップ２を実行し、属してない場合、ステップ７を実行する。
【００７１】
ステップ２において、ｅＮｏｄｅＢ間の伝送遅延を検出する。
【００７２】
ステップ３において、ｅＮｏｄｅ間の遅延がＵＬＣｏＭＰＭａｘＤｅＬａｙの以下であるか否かを判断し、以下である場合、ステップ４を実行し、そうではない場合、ステップ９を実行する。
【００７３】
ステップ４において、ｅＮｏｄｅ間の遅延がＪｏｉｎｔＳｏｆｔＣｏｍｂｉｎｅＭａｘＤｅＬａｙの以下であるか否かを判断し、以下である場合、ステップ５を実行し、そうではない場合、ステップ６を実行する。
【００７４】
ステップ５において、共同ソフトビット合成方式を採用して、ステップ９を実行する。
【００７５】
ステップ６において、共同干渉抑制合成方式を採用してステップ９を実行する。
【００７６】
ステップ７において、アップリンクＣｏＭＰを行う必要である協力セルと自セルが一つのベースバンドボードに属しているか否かを判断し、属している場合、ステップ８を実行し、属しない場合、ステップ５を実実行する。
【００７７】
ステップ８において、共同等化方式を採用してステップ９を実行する。
【００７８】
ステップ９において、判断フローを終了する。
【００７９】
５．システムは、判定されたアップリンクＣｏＭＰの実現方式に基づいて、次の協同のスケジューリングを実施してアップリンクＣｏＭＰを実現する。
【００８０】
実施例３
図７に示すように、本実施例は、共同干渉抑制装置７００を提供し、アップリンクＣｏＭＰを実現することに用いられ、受信ユニット７０１と干渉抑制ユニット７０２を含む。
【００８１】
前記受信ユニット７０１は、第２セルによって送信された第２端末のスケジューリング情報を受信するように構成され、前記第２端末は前記第２セルに属し、前記スケジューリング情報は、前記第２セルによって前記第２端末に割り当てられるリソースブロック情報及びパイロットシンボル位置情報を含む。
【００８２】
前記干渉抑制ユニット７０２は、第１セルが、それに属している第１端末によって送信された情報を復調する場合、前記スケジューリング情報に基づいて干渉抑制合成アルゴリズムを用いて、前記第２セルの前記第１セルへの同一周波数の干渉を除去するように構成される。
【００８３】
本実施例に提供されている共同干渉抑制装置を採用して、第１セル（協力セル又はサービングセル）が既に干渉ソースの干渉を除去していて、境界ユーザの利得を増大する目的を達しているために、干渉ソースが所在している第２セル（サービングセル又は協力セル）に協調情報を送信する必要がなくなり、そのためＸ２インターフェース間のメッセージのインタラクションを減少することができ、そしてＣｏＭＰの所要遅延も減少され、分散型のネットワークに適用することができる。また、第１セル（協力セル又はサービングセル）が第２端末としてのリソースブロック情報及びパイロットシンボル位置を取得することができるため、第１セルがＩＲＣアルゴリズムを行う時に、干渉ソースの位置を確定することができ、ＩＲＣアルゴリズムで干渉ソースの干渉を除去する効果を高め、アップリンクＣｏＭＰの干渉防止能力を最適化し、さらにセル境界のスループットを増大する。
【００８４】
図８に示すように、本実施例はさらにアップリンクＣｏＭＰの実現装置８００を提供し、検出ユニット８０１、第１判断ユニット８０２及び実行ユニット８０３を含む。
【００８５】
前記検出ユニット８０１は、アップリンクＣｏＭＰを行う必要である第１セルと第２セルが同一基地局に属していない場合、前記第１セルが属している基地局と前記第２セルが属している基地局の間の伝送遅延を検出するように構成される。
【００８６】
前記第１判断ユニット８０２は、前記伝送遅延が予め設定される時間条件を満たすか否かを判断するように構成される。
【００８７】
前記実行ユニット８０３は、前記第１判断ユニットによって前記伝送遅延が予め設定される時間条件を満たすと判断した場合、実施例１に記載されている共同干渉抑制方法を採用してアップリンクＣｏＭＰを実現するように構成される。
【００８８】
好ましくは、前記予め設定される時間条件は、前記伝送遅延が第２遅延より大きい、かつ第１遅延より小さいことを含み、前記第１遅延が予め設定されるアップリンクＣｏＭＰの最大の遅延である。
【００８９】
好ましくは、前記第２遅延は、予め設定される、共同ソフトビット合成方式を採用してアップリンクＣｏＭＰを実現する最大の遅延である。
【００９０】
好ましくは、前記実行ユニットは、前記伝送遅延が前記第２遅延以下である場合、前記共同ソフトビット合成方式を採用してアップリンクＣｏＭＰを実現する。
【００９１】
図９に示すように、上記のアップリンクＣｏＭＰを実現する装置は、さらに第２判断ユニット８０４を含むことが可能である。
【００９２】
前記第２判断ユニット８０４は、アップリンクＣｏＭＰを行う必要である第１セルと第２セルが同一基地局に属している場合、前記第１セルと前記第２セルが同一のベースバンドモジュールに属しているか否かを判断するように構成される。
【００９３】
前記実行ユニット８０３は、前記第２判断ユニットによって前記第１セルと前記第２セルが同一のベースバンドモジュールに属していると判断した場合、予め設定される共同等化方式を採用してアップリンクＣｏＭＰを実現し、前記第２判断ユニットによって前記第１セルと前記第２セルが同一のベースバンドモジュールに属しないと判断した場合、予め設定される共同ソフトビット合成方式を採用してアップリンクＣｏＭＰを実現するように構成される。
【００９４】
上記のアップリンクＣｏＭＰを実現する装置を採用して、分散型のネットワーク、集中型のネットワーク、ｅＮｏｄｅＢの間、ｅＮｏｄｅＢ内、ベースバンドのボード内、ベースバンドのボードの間、共に自分に適応的に最も有効なＣｏＭＰ方式を選択することが可能で、境界ユーザがセル間の干渉を最大限に除去させることができ、チャネル品質を向上させ、そしてより大きいスループットを得られ、境界ユーザの体験が高まる。さらに、自分適応的な方法を採用してから、境界ユーザのスループットの増大のため、セル全体のスループットも増大する。
【００９５】
本発明の実施例に提供されている共同干渉抑制装置の受信ユニットと干渉抑制ユニットは、いずれもセル内のプロセッサによって実現されても良く、本発明の実施例に提供されているアップリンクＣｏＭＰを実現する装置の検出ユニット、第１判断ユニット、第２判断ユニット及び実行ユニットは、いずれもセル内のプロセッサによって実現されても可能である。もちろん具体的なロジック回路によって実現されても良い。具体的な実施例において、プロセッサが中央処理装置（ＣＰＵ）、マイクロプロセッサ（ＭＰＵ）、デジタルシグナルプロセッサ（ＤＳＰ）又は現場でプログラム可能なゲートアレイ（ＦＰＧＡ）などであっても良い。
【００９６】
なお、本発明の実施例において、ソフトウェア機能モジュールの形で上記共同干渉抑制方法又はアップリンクＣｏＭＰの実現方法を実現して、単独の製品として販売または使用する場合、コンピュータ読み取り可能の記憶媒体に記憶しても良い。これによって、本発明の実施例の技術案が事実的に、言い換えれば先行技術に貢献した部分がソフトウェア製品の形で体現でき、該コンピュータソフトウェア製品は、記憶媒体に記憶され、コンピュータ装置（パソコン、サーバ、またはネットワーク装置などであっても良い）が、本発明の各実施例の全部または一部の前記方法を実行するように複数の命令を含む。上記の記憶媒体は、ＵＳＢメモリ、移動ハードディスク、読み取り専用メモリ（ＲＯＭ：Ｒｅａｄ  Ｏｎｌｙ  Ｍｅｍｏｒｙ）、磁気ディスクまたは光ディスクなどの各種のプログラムコードが記憶できる媒体を含む。従って、本発明の実施例はいかなるハードウェアとソフトウェアとの結合を限定しない。
【００９７】
それに応じて、本発明の実施例はさらに、コンピュータ記憶媒体を提供し、該コンピュータ記憶媒体にコンピュータプログラムが記憶され、該コンピュータプログラムが本発明の各実施例に提供されているアップリンクＣｏＭＰの実現方法を実行することに用いられる。
【００９８】
それに応じて、本発明の実施例はさらに、コンピュータ記憶媒体を提供し、該コンピュータ記憶媒体にコンピュータプログラムが記憶され、該コンピュータプログラムが本発明の各実施例に提供されている共同干渉抑制方法を実行することに用いられる。
【００９９】
以上の内容は、具体的な実施形態を結合して本発明をさらに詳しく説明しているものである。本発明の具体的な実施をこれらの説明に限定しない。本発明の当業者にとって、本発明の構想を脱しない前提で、若干簡単な推定又は置き換えも可能であり、いずれも本発明の範囲であると見なすべきである。
【産業上の利用可能性】
【０１００】
本発明の実施例において、第１セルは第２セルによって送信された第２端末のスケジューリング情報を受信し、前記第２端末は前記第２セルに属し、前記スケジューリング情報は、前記第２セルによって前記第２端末に割り当てられるリソースブロック情報及びパイロットシンボル位置情報を含む。前記第１セルは、それに属している第１端末によって送信された情報を復調する場合、前記スケジューリング情報に基づいて干渉抑制合成アルゴリズムを用いて、前記第２セルの前記第１セルへの同一周波数の干渉を除去する。
【図１】
2017536034.tif 000003
【図２】
2017536034.tif 000004
【図３】
2017536034.tif 000005
【図４】
2017536034.tif 000006
【図５】
2017536034.tif 000007
【図６】
2017536034.tif 000008
【図７】
2017536034.tif 000009
【図８】
2017536034.tif 000010
【図９】
2017536034.tif 000011
【国際調査報告】
2017536034.tif 000012
2017536034.tif 000013
2017536034.tif 000014
2017536034.tif 000015